(57)【要約】 【課題】  本発明は、既存のコップ状容器に対して、アクセサリー、模型、お菓子のような小物商品（販促品）を「おまけ」として収容しておくための新規の「コップ状容器に装着される販促品収容用袋」を提供するものである。【解決手段】  コップ状容器Ａに取り付けるために、比較的強靭にして弾力性に富む材料で形成された取付け用シート部Ｍと、当該取付け用シート部Ｍの前端縁に連設した販促品を収容するための袋体Ｎとから成り、当該取付け用シート部Ｍには所要の掛止め用開口部2，2を形成するように構成する。【選択図】  図４
2010100305.tif 000002
【特許請求の範囲】
【請求項１】
容器本体(ａ)の上面に、アルミシートその他の薄いシール部材による密封用シール面で密封すると共にその上面全体を覆うようにカバー状の蓋体(ｂ)が着脱自在に取り付けられており、更に、容器本体(ａ)の外壁面と、蓋体(ｂ)の最外周部分に連設されている垂下周面(ｂ4)の内面との間が非接触状態にして「やや開いた状態の空間(Ｒ)」が形成されるような構成を具えた公知のコップ状容器(Ａ)を取付け対象とするものであって、
当該コップ状容器(Ａ)に取り付けるために比較的強靭にして弾力性に富む材料で形成された取付け用シート部(Ｍ)と、当該取付け用シート部(Ｍ)の前端縁に連設した販促品を収容するための袋体(Ｎ)とから成り、
当該取付け用シート部(Ｍ)は、中央部に形成されるブリッジ状連結帯(３)を隔てて前後部分に略半円状を呈する掛止め用開口部(２，２)を開設し、当該掛止め用開口部(２，２)の頂部分には、コップ状容器Ａにおける前記した「やや開いた状態の空間(Ｒ)」内に突入させるための内向き円弧状突縁(2ａ，2ａ)を形成すると共に、当該突縁(2ａ，2ａ)の両端部分には、上記のように当該円弧状突縁(2ａ，2ａ)を「やや開いた状態の空間(Ｒ)」内に突入させた際、蓋体(ｂ)の当該垂下周面(ｂ4)の下縁に引っ掛けて、当該突縁(2ａ，2ａ)の上記突入状態での安定化を図るための掛止め用切溝(2ｂ，2ｂ)を形成して成るものとし、更に、当該取付け用シート部(Ｍ)の前端縁に対して、先端を開口部とする袋体(Ｎ)を一体的に連設するように構成したコップ状容器に装着される販促品収容用袋。
【請求項２】
袋体Ｎとして、表側シート(４)と裏側シート(５)とを重ね合わせると共にその両側縁部を溶着等に基づき接合することによって縦長な袋状に形成し、当該表裏両シート(4，5)の基端部は、一括して前述した取付け用シート部(Ｍ)の前端縁に対して溶着等に基づき連結閉鎖すると共に、当該裏側シート(５)の先端は表側シート(４)の先端よりやや短く形成し、これにより形成される表側シート(４)の先端部分で裏側シート(５)より長くなっている余剰シート部分(4ａ)の裏面に対し、セパレーター(6ａ)で覆われた接着剤塗布層(６)を形成するように構成した請求項１に記載のコップ状容器に装着される販促品収容用袋。
【請求項３】
袋体(Ｎ)を透明資材製とするように構成した請求項１または請求項２に記載のコップ状容器に装着される販促品収容用袋。
【発明の詳細な説明】
【技術分野】
【０００１】
シール部材で密封したコップ状容器に、当該シール部材を保護するための蓋体を被せて成るコップ状容器が多く利用されている。
本発明は、このようなコップ状容器に対して、アクセサリー、模型、お菓子のような小物商品（販促品）を「おまけ」として収容しておくための「コップ状容器に装着される販促品収容用袋」に関する。
【背景技術】
【０００２】
「容器の上面をアルミシートその他の薄いシール部材で密封した飲料容器であって、突き刺し端を設けた内筒と外筒とからなるストローを入れた包装袋を容器の外周壁に接着保持し、飲料を飲むときには包装袋を取外して、そのなかからストローを取り出し、シール部材を突き刺して吸飲するようにした容器は、従来より知られている」ことは特許文献４における「従来の技術」として記載されているように公知技術に属する。  そして、このようなコップ状容器において、当該密封された上面を覆うように蓋体を被せるとともに、当該蓋体の外部から直接ストローを差し込んで飲用に供するような形態のコップ状容器が、「チルドパック」とも称され現在各種の飲料商品、並びに春雨スープ等のスープ類、ラーメン等の麺類、その他各種の食品を収容したカップ状食品として提供されている。
【０００３】
そして、上面が密封されているカップ状の容器本体の上面に「おまけ」などを密封した小袋を位置させると共に、この上面に皿状蓋で覆うように構成した食品包装容器が存在する（特許文献３参照）。  然し乍、このような形態のものは、当該皿状蓋をこれに合わせた特別の形態としなければならず、従って、上述したように現在市販されている既存のコップ状容器に対して、そのまま実施することはできないものである。  すなわち、当該コップ状容器の蓋体を「おまけ」を収容できるような特殊形態のものに変更しなければ、その実施は不可能とされた。
【０００４】
従って、上述したようなコップ状容器に対して、アクセサリー、模型、お菓子のような小物商品（販促品）を「おまけ」として添えておく手段としては、「おまけ等添付用の袋」を商品に貼り付けておくような手段（例えば特許文献１及び特許文献２参照）が採られている。
【０００５】
【特許文献１】特開２００３−２３７８０２号公報
【特許文献２】特開２００３−０４３９１９号公報
【特許文献３】特開平１０−２１１９５３号公報
【特許文献４】特開平０９−２２６８２０号公報
【発明の開示】
【発明が解決しようとする課題】
【０００６】
上述したような従来例、すなわち、おまけ等添付用の袋」を商品に貼り付けておくような手段であると、これを上述したようなコップ状容器に対して実施した場合、その接着のための「糊」または「セロハンテープ」が商品自体に付着してベト付き感を生じさせたり、商品同士の接触等に基づき剥離してしまったりするような問題が生じることとなった。  更に、このような貼り付け形態であると、商品自体の外観的美観、すなわち、単純なる「おまけの貼り付け」という形態自体が、コップ状容器が固有するデザイン性を損ねてしまうことを余儀なくされた。
【０００７】
本発明はこのような従来の問題を解決し、コップ状容器に対して接着することなく、極めてスマートな形態にしてかつ確りとした形態での「おまけ用販促品」の添付目的が果されるようにした「コップ状容器に装着される販促品収容用袋」という新規の製品の提供を図ったものである。
【課題を解決するための手段】
【０００８】
本発明は請求項１に記載のように、容器本体ａの上面に、アルミシートその他の薄いシール部材による密封用シール面で密封すると共にその上面全体を覆うようにカバー状の蓋体ｂが着脱自在に取り付けられており、更に、容器本体ａの外壁面と、蓋体ｂの最外周部分に連設されている垂下周面ｂ4の内面との間が非接触状態にして「やや開いた状態の空間Ｒ」が形成されるような構成を具えた公知のコップ状容器Ａを取付け対象とするものであって、
当該コップ状容器Ａに取り付けるために比較的強靭にして弾力性に富む材料で形成された取付け用シート部Ｍと、当該取付け用シート部Ｍの前端縁に連設した販促品を収容するための袋体Ｎとから成り、
当該取付け用シート部Ｍは、中央部に形成されるブリッジ状連結帯３を隔てて前後部分に略半円状を呈する掛止め用開口部2，2を開設し、当該掛止め用開口部２，２の頂部分には、コップ状容器Ａにおける前記した「やや開いた状態の空間Ｒ」内に突入させるための内向き円弧状突縁2ａ，2ａを形成すると共に、当該突縁2ａ，2ａの両端部分には、上記のように当該円弧状突縁2ａ，2ａを「やや開いた状態の空間Ｒ」内に突入させた際、蓋体ｂの当該垂下周面ｂ4の下縁に引っ掛けて、当該突縁2ａ，2ａの上記突入状態での安定化を図るための掛止め用切溝2ｂ，2ｂを形成して成るものとし、更に、当該取付け用シート部Ｍの前端縁に対して、先端を開口部とする袋体Ｎを一体的に連設するように構成したコップ状容器に装着される販促品収容用袋に係る。
【０００９】
本発明は請求項２に記載のように、袋体Ｎとして、表側シート４と裏側シート５とを重ね合わせると共にその両側縁部を溶着等に基づき接合することによって縦長な袋状に形成し、当該表裏両シート4，5の基端部は、一括して前述した取付け用シート部Ｍの前端縁に対して溶着等に基づき連結閉鎖すると共に、当該裏側シート５の先端は表側シート４の先端よりやや短く形成し、これにより形成される表側シート４の先端部分で裏側シート５より長くなっている余剰シート部分4ａの裏面に対し、セパレーター6ａで覆われた接着剤塗布層６を形成するように構成した請求項１に記載のコップ状容器に装着される販促品収容用袋を実施の態様とする。
【００１０】
本発明は請求項３に記載のように、袋体Ｎを透明資材製とするように構成した請求項１または請求項２に記載のコップ状容器に装着される販促品収容用袋を実施の態様とする。
【発明の効果】
【００１１】
本発明は請求項1に記載のような構成を採用したから、取付け用シート部Ｍを、コップ状容器Ａの蓋体ｂの上面に被せるようにして保持すると共に、掛止め用開口部２，２設けられている内向き円弧状突縁2ａ，2ａを、図４乃至図６に示すように、「容器本体ａの外壁面と垂下周面ｂ4の内面との間は非接触状態にしてやや開いた状態に保たれている空間Ｒ」部分に対して差し込むと共に、その両端部分に形成されている掛止め用切溝2ｂ，2ｂを、蓋体ｂの垂下周面ｂ4の下縁に引っ掛けることにより（図４参照）、取付け用シート部Ｍは、蓋体ｂの頂面部分ではブリッジ状連結帯３による圧接と、前後両端縁部分では掛止め用切溝2ｂ，2ｂ及び掛止め用切溝2ｂ，2ｂによる蓋体ｂの垂下周面ｂ4に対する引っ掛け的係止に基づき、顕著な安定化状態に保たれることとなる。
【００１２】
従って、当該取付け用シート部Ｍの前端縁に対して、先端を開口部とする袋体Ｎを一体的に連設してあるから、当該袋体Ｎ内に所要の販促品Ｐを収容しておくことにより、コップ状容器Ａに対して極めてスマートな形態にしてかつ安定した状態での販促品の取り付け目的が果されることとなる。
【００１３】
本発明は請求項２に記載のような構成、すなわち、袋体Ｎとして、表側シート４と裏側シート５とを重ね合わせると共にその両側縁部を溶着等に基づき接合することによって縦長な袋状に形成し、当該表裏両シート4，5の基端部は、一括して前述した取付け用シート部Ｍの前端縁に対して溶着等に基づき連結閉鎖すると共に、当該裏側シート５の先端は表側シート４の先端よりやや短く形成し、これにより形成される表側シート４の先端部分で裏側シート５より長くなっている余剰シート部分4ａの裏面に対し、セパレーター6ａで覆われた接着剤塗布層６を形成するように構成することにより、袋体Ｎに対する販促品の収容、及び収容状態での閉鎖が極めて簡便に行われることとなる。
【００１４】
本発明は請求項３に記載のように、袋体Ｎを透明資材製とするように構成することにより、収容する販促品Ｐの透視に基づく購入者によるその確認と、袋体Ｎ自体の存在が、コップ状容器Ａの容器本体ａの表面に設けられている商品名等を隠すことを最小化とするような透視性が奏される。
【発明を実施するための最良の形態】
【００１５】
本発明は、図１乃至図３に示すような構成を具えたものであり、そして、図４乃至図６に示すような形態での利用を図るものである。  そして、本発明は下記するような形態を具えたコップ状容器Ａを取付け対象とするものである。
【００１６】
すなわち、本発明の取付け対象とするコップ状容器Ａは次のような形態を具えたものである。
【００１７】
図４乃至図７に示すように、下縁より上縁のほうが大径とするような緩やかな緩傾斜を呈する側周壁面を具えた容器本体ａの上面に、アルミシートその他の薄いシール部材による密封用シールａ1（図７参照）で封緘すると共に、その上面全体を覆うようにカバー状の蓋体ｂを着脱自在に取り付けるように構成してある。  そして、飲用に際しては、容器本体ａの背面側に着脱自在に袋詰めされているストローｃ（図６参照）を取り外すと共に、当該蓋体ｂを外部から直接挿し込むと同時に、上記密封用シール面も一括して貫通させることにより、当該ストローを介して内容物の飲用を行うように構成したものである。  なお、ストローの差込用口は、蓋体ｂに別途形成されているものである。  然し乍、このようなストローを使用する場合は、コーヒー等の飲料食品に限られ、例えば麺類、菓子等の容器としての実施の場合は不必要である。
【００１８】
そして、上記した蓋体ｂの形状であるが、これを詳細に説明すると次の通りである。
すなわち、蓋体ｂの中央部分に大きく形成されている円形板部ｂ1の外周には、土手状に盛り上げた円形縁部ｂ2が連設されている。  更に、当該円形縁部ｂ2の外周側面はやや外向きテーパー状に垂下する共に、その下端縁には、既述した容器本体ａの開口縁部分に載せるための水平な環状縁面ｂ3が形成されており、更に、当該環状縁面ｂ3の外周縁、すなわち、蓋体ｂの最外周部分に連なるように周壁状垂下周面ｂ4が連設されている。
【００１９】
上記したような形態を有する蓋体ｂは、容器本体ａ対して着脱自在（着脱自在ではあるが、比較的固めの状態）で被せられており、この状態にあっては、容器本体ａが下縁より上縁のほうが大径とするような緩やかな緩傾斜を呈する側周壁面（上開き的テーパー状側周面）を具えたものであることと、蓋体ｂにおける上記した垂下周面ｂ4が外開き状にやや開いた状態のテーパー面としてあるため、当該容器本体ａの外壁面と垂下周面ｂ4の内面との間は非接触状態にして「「やや開いた状態の空間Ｒ（図６及び図７参照）」が形成されていることとなる。
【００２０】
本発明は既存のコップ状容器Ａにおける、上述したような外観的特徴、すなわち、「容器本体ａの外壁面と垂下周面ｂ4の内面との間は非接触状態にしてやや開いた状態に保たれている空間Ｒ」が存在することに着目して、この部分を利用して、アクセサリー、模型、お菓子のような小物商品（販促品）を「おまけ」として収容しておくための袋部分を、極めて安定かつ強固にしてデザイン的にもスッキリとした形態で取付けることができるようにしたものである。
【００２１】
以下、本発明に係る販促品収容用袋の構成について詳細に説明する。  図１乃至図３において、Ｍは前述したコップ状容器Ａに取り付けるための取付け用シート部であって、比較的強靭にして弾力性に富む材料で形成してある。  Ｎは当該取付け用シート部Ｍの前端縁に連設した袋体であって、アクセサリー、模型、お菓子のような小物商品（販促品）を「おまけ」として収容しておくためのものである。
【００２２】
上記した取付け用シート部Ｍであるが、これは次のような形態を具えたものである。  ２，２は当該シート部Ｍの前後部分にブリッジ状連結帯３を隔てて対称的に開設した略半円状を呈する掛止め用開口部であって、コップ状容器Ａの蓋体ｂの前方部分と、これと対象位置にある後方部分とに対し引っ掛けるためのものである。  そして、当該引っ掛け手段は、コップ状容器Ａにおける、既述したような外観的特徴である「容器本体ａの外壁面と垂下周面ｂ4の内面との間は非接触状態にしてやや開いた状態Ｒに保たれている」ことを利用し、当該掛止め用開口部２，２の頂部分には、当該「やや開いた上体の空間Ｒ」部分内に突入させるための内向き円弧状突縁2ａ，2ａを形成すると共に、当該突縁2ａ，2ａの両端部分には、当該円弧状突縁2ａ，2ａを「開かれた状態の空間Ｒ」内に突入させた際、蓋体ｂの当該垂下周面ｂ4の下縁に引っ掛けて、当該突縁2ａ，2ａの上記突入状態での安定化を図るための掛止め用切溝2ｂ，2ｂが夫々対称的に形成してある。
【００２３】
前記した袋体Ｎであるが、これは次のような形態を具えたものである。  ４は表側シート、５は裏側シートであって、両シートは互いに重ね合わせると共に、その両側縁部を溶着等に基づき接合することによって、縦長な袋状に形成してある。  そして、当該表裏両裏シート4，5の基端部は、一括して前述した取付け用シート部Ｍの前端縁に対して溶着等に基づき連結閉鎖してある。
【００２４】
また、当該裏側シート５の先端は表側シート４の先端よりやや短くしておくことにより、所要の販促品を収容する際の開口作業の容易化が図られるように構成してある（互いの端部が合致した場合、開口のための両者の開き作業がやりにくくなる。）。  そして、表側シート４の先端部分で裏側シート５より長くなっている余剰シート部分4ａの裏面には、セパレーター6ａで覆われた接着剤塗布層６が形成されている。  従って、表側シート４と裏側シート５とで形成される袋内に所要の販促品を収容した後、当該セパレーター6ａを剥がすと共に、表側シート４の余剰シート部分4ａを折り返して裏側シート５に重ね合わせ、セパレーター6ａを剥がすことによって現された接着剤塗布層６による接着を施せば、当該袋に対する開口部閉鎖が成され、販促品の袋詰め作業が完了化される様に構成してある。
【００２５】
ところで、上記した取付け用シート部Ｍであるが、これは既述したように取付けの安定化を図るために、比較的強靭にして弾力性に富む材料で製することが要求されるが、これに連設するための袋体Ｎは販促品を収容する関係上、柔軟性に富む材料とすることが望ましい。  そして、収容する販促品の透視及び袋体Ｎ自体の存在が、コップ状容器Ａの容器本体ａの表面に設けられている商品名等を透視可能とするために、透明資材で形成することが好ましい。  然し乍、当該袋体Ｎを不透明な材料で形成しても良く、透明性とすることは構成上の絶対的条件ではない。
【００２６】
上記のような構成を有する本発明に係る販促品収容用袋の使用に際しては、取付け用シート部Ｍを、コップ状容器Ａの蓋体ｂの上面に被せるようにして保持すると共に、掛止め用開口部２，２に設けられている内向き円弧状突縁2ａ，2ａを、図４乃至図６に示すように、「容器本体ａの外壁面と垂下周面ｂ4の内面との間は非接触状態にしてやや開いた状態に保たれている空間Ｒ」部分に対して差し込むことによって、その両端部分に形成されている掛止め用切溝2ｂ，2ｂが、蓋体ｂの垂下周面ｂ4の下縁に引っ掛けることとなる（図４参照）。  従って、取付け用シート部Ｍは、蓋体ｂの頂面部分ではブリッジ状連結帯３による圧接と、前後両端縁部分では掛止め用切溝2ｂ，2ｂ及び掛止め用切溝2ｂ，2ｂによる蓋体ｂの垂下周面ｂ4に対する引っ掛け的係止に基づき、顕著な安定化状態に保たれることとなる。
【００２７】
これに依り、袋体Ｎ内に所要の販促品を入れておくことに依り、これをコップ状容器Ａに対して、糊または接着テープ等を使用することなく、確固にしてかつ整然たる形態での取付け目的が果される。
【００２８】
なお、図４及び図５においては、図面的に分かり易くするために、袋体Ｎ内には販促品を入れていない状態で描いてあるが、実際には図６に示すように既述したような手順で販促品Ｐを事前に入れておくことにより、当該袋体Ｎは膨らんだ状態となっているわけである。
【００２９】
そして、当該袋体Ｎは図６に示すように袋の全長がそのままの状態にしておく以外、場合によってはこれを二つ折り等して短くまとめておくことにより、当該袋体Ｎの存在によりコップ状容器Ａに表示されている商品名等を隠してしまうことの最小化を図るような形態で実施する場合もあるが、これは単なる使用形態の選択に属するものであり、構成上もたらされるものではない。
【００３０】
ところで、本発明に係る販促品収容用袋の全体の形成形態であるが、既述したように、「取付け用シート部Ｍは比較的強靭にして弾力性に富む材料で製する」ものであり、また、「袋体Ｎは販促品を収容する関係上、柔軟性に富む材料とすることが望ましい」ものである。  そして、これの具体的製造形態の一例をとしては、取付け用シート部Ｍを合成紙（例えばユポ紙）で形成し、当該取付け用シート部Ｍに対し、袋部Ｎの表側シート４及び裏側シート５を形成する合成シート材（例えば「ＯＰＰ」と「ＣＰＰ」の複合体）を延長させて当該合成紙部分全体をラミネートするようにして、当該取付け用シート部Ｍを連続状に形成するようにしても良い。  すなわち、この場合、合成紙は芯材としての機能することとなる。  本発明はこのような形態での実施を図ることもある。
【図面の簡単な説明】
【００３１】
【図１】本発明に係る販促品収容用袋の平面図である。
【図２】本発明に係る販促品収容用袋の底面図である。
【図３】図１におけるＸ−Ｘ線拡大断面図である。
【図４】袋体Ｎ内に販促品を入れていない状態にある本発明品をコップ状容器Ａに取り付けた状態を表した斜視図である。
【図５】袋体Ｎ内に販促品を入れていない状態にある本発明品をコップ状容器Ａに取り付けた状態を表した平面図である。
【図６】袋体Ｎ内に販促品を入れた状態にある本発明品をコップ状容器Ａに取り付けた状態を表した側面図である。
【図７】図６に鎖線で示す円部分を著しく拡大して示す参考用断面図である。
【符号の説明】
【００３２】
Ａ  コップ状容器
ａ  容器本体
a1  密封用シール
ｂ  蓋体
b1  円形板部
b2  土手状に盛り上げた円形縁部
b3  水平な環状縁面
b4  周壁状垂下周面
ｃ  ストロー
Ｍ  取付け用シート部
２  掛止め用開口部
2ａ 内向き円弧状突縁
2ｂ 掛止め用切溝
３  ブリッジ状連結帯
Ｎ  袋体
４  表側シート
4a  余剰シート部分
５  裏側シート
６  接着剤塗布層
6a  セパレーター
Ｐ  販促品
Ｒ  やや開いた状態に保たれている空間
【図１】
2010100305.tif 000003
【図２】
2010100305.tif 000004
【図３】
2010100305.tif 000005
【図４】
2010100305.tif 000006
【図５】
2010100305.tif 000007
【図６】
2010100305.tif 000008
【図７】
2010100305.tif 000009